(57)【要約】      （修正有）【課題】携帯端末を落下させた場合でも電池カバーが筐体から外れることを防ぎ、さらに電池の交換などのメンテナンスを、手間をかけないで簡単におこなうことができる携帯端末を提供する。【解決手段】携帯端末は、筐体内に機器を内蔵し、筐体の裏面下部に電池１３を収納する収納凹部１４を備え、この収納凹部１４を塞ぐことで電池１３を収納凹部１４に保持する電池カバー１５を備え、この電池カバー１５を筐体にロックするロック手段１６を備える。ロック手段１６は、電池カバー１５を閉じた状態に保持するロック部材３１と、このロック部材３１をロック位置に保持するロックばね部材３２とを備える。【選択図】図３
2006196350.tif 000002
【特許請求の範囲】
【請求項１】
筐体に電池を収納する収納凹部をカバーし筐体にスイング自在に設け、端部に筐体と略平行に延びた係合凸部を設け、前記係合凸部から第１エッジを前記筐体とは反対側に突出させた電池カバーと、
この電池カバーをロックするロック位置と、ロック位置から離れたロック解除位置とにスイング自在に設け、前記ロック位置に配置した際に、前記係合凸部を押さえ付けて前記電池カバーの解放を防ぐロック凸部を設け、このロック凸部から第２エッジを前記係合凸部に向けて突出させたロック部材と、
このロック部を前記ロック位置に保持するロックばね部材と、を備え、
前記ロック部材を前記ロック位置に保持した際に、第１エッジと第２エッジとが係合して、ロック部材がロック解除位置に移動することを阻止する構成としたことを特徴とする携帯端末。
【請求項２】
筐体に電池を収納する収納凹部をカバーし筐体にスイング自在に設け、端部に筐体と略平行に延びた係合凸部を設けた電池カバーと、
この電池カバーをロックするロック位置と、ロック位置から離れたロック解除位置とにスイング自在に設け、前記ロック位置に配置した際に、前記係合凸部を押さえ付けて前記電池カバーの解放を防ぐロック凸部を設けたロックレバーと、
このロックレバーの先端に設けた保持凸部を受け入れる保持溝部を前記筐体に設け、この保持溝部に保持凸部を受け入れた後、保持凸部の抜け出しを防ぐために保持凸部に係合するエッジを保持溝部の開口に突出させた保持手段と、を備えたことを特徴とする携帯端末。
【請求項３】
前記電池カバーにかけた押圧力により発生した電池カバーの撓みにより、前記第１、第２のエッジの係合を解除するように構成したことを特徴とする請求項１に記載の携帯端末。
【請求項４】
前記電池カバーにかけた押圧力により発生した電池カバーの撓みにより、前記保持凸部と前記エッジとの係合を解除するように構成したことを特徴とする請求項２に記載の携帯端末。
【請求項５】
前記電池カバーをスイング自在に回動するヒンジピンの近傍で、かつ電池カバーの裏面に、電池を支える電池支え部を設けたことを特徴とする請求項１〜４のいずれか１項に記載の携帯端末。
【発明の詳細な説明】
【技術分野】
【０００１】
本発明は、携帯端末に係り、特に、筐体内に電池を交換可能に収納し、収納した電池を電池カバーで筐体内に保持するように構成した携帯端末に関する。
【背景技術】
【０００２】
従来より、物流事業において荷物のデータを管理するために携帯端末が用いられている。この携帯端末は、荷物に付けられた伝票を読み取り、読み取った荷物データを管理センターに送付するものである。携帯端末から送られた荷物データに基づいて、管理センターで荷物データを統合して管理する。
また、この携帯端末は、荷物を配達するドライバーが、荷物の取扱いを日々管理するために用いられている。
【０００３】
ところで、この携帯端末は、筐体内に電池を交換可能に収納し、収納した電池を電池カバーで筐体内に保持するように構成されている。
電池カバーを筐体に取り付ける方法としては、以下の第１、第２の方法が知られている。
第１の方法は、電池カバーにロック爪を設け、このロック爪を、電池カバーを弾性変形させた状態で筐体の凹部に係合させることにより、電池カバーを筐体に取り付けるものである（例えば、特許文献１）。
第２の方法は、電池カバーをねじや、ねじ状のファスナーで筐体に取り付けるものである。
【特許文献１】特開２００４−１８５４８０号公報
【発明の開示】
【発明が解決しようとする課題】
【０００４】
しかしながら、第１の方法のように、電池カバーの弾性変形を利用してロック爪を凹部に係合させるものでは、万が一、携帯端末を落下させた場合に、落下による衝撃で電池カバーが弾性変形してロック爪が凹部から抜け出して電気蓋が筐体から外れてしまう虞がある。
特に、使用中に落下して、電気蓋が筐体から外れると、筐体から電池が脱落して電力が供給されなくなる。このため、機器のメモリーが飛んでしまう虞がある。
【０００５】
一方、第２の方法のように、電池カバーをねじや、ねじ状のファスナーで筐体に取り付けるものでは、電池の交換などのメンテナンスをおこなう際に、ドライバーなどの工具を用いて電池カバーを開ける必要があり、電池の交換に手間がかかる。
【０００６】
本発明は上記事情に鑑みてなされたもので、携帯端末を落下させた場合でも電池カバーが筐体から外れることを防ぎ、さらに電池の交換などのメンテナンスを、手間をかけないで簡単におこなうことができる携帯端末を提供することを目的とする。
【課題を解決するための手段】
【０００７】
本発明の携帯端末は、筐体に電池を収納する収納凹部をカバーし筐体にスイング自在に設け、端部に筐体と略平行に延びた係合凸部を設け、前記係合凸部から第１エッジを前記筐体とは反対側に突出させた電池カバーと、この電池カバーをロックするロック位置と、ロック位置から離れたロック解除位置とにスイング自在に設け、前記ロック位置に配置した際に、前記係合凸部を押さえ付けて前記電池カバーの解放を防ぐロック凸部を設け、このロック凸部から第２エッジを前記係合凸部に向けて突出させたロック部材と、このロック部を前記ロック位置に保持するロックばね部材と、を備え、前記ロック部材を前記ロック位置に保持した際に、第１エッジと第２エッジとが係合して、ロック部材がロック解除位置に移動することを阻止する構成としたことを特徴とする。
【０００８】
ロック部材をロック位置に保持した際に、第１エッジと第２エッジとが係合して、ロック部材がロック解除位置に移動することを阻止する。
よって、ロック部材がロックばね部材の付勢力に抗してロック位置からロック解除位置に移動することを防止する。
したがって、万が一、携帯端末を落下させた場合でも、筐体から電池カバーが外れることを防ぐことができる。
【０００９】
また、本発明の携帯端末は、筐体に電池を収納する収納凹部をカバーし筐体にスイング自在に設け、端部に筐体と略平行に延びた係合凸部を設けた電池カバーと、この電池カバーをロックするロック位置と、ロック位置から離れたロック解除位置とにスイング自在に設け、前記ロック位置に配置した際に、前記係合凸部を押さえ付けて前記電池カバーの解放を防ぐロック凸部を設けたロックレバーと、このロックレバーの先端に設けた保持凸部を受け入れる保持溝部を前記筐体に設け、この保持溝部に保持凸部を受け入れた後、保持凸部の抜け出しを防ぐために保持凸部に係合するエッジを保持溝部の開口に突出させた保持手段と、を備えたことを特徴とする。
【００１０】
ロックレバーをロック位置に保持した際に、保持凸部とエッジとが係合して、ロックレバーがロック解除位置に移動することを阻止する。
よって、ロックレバーがロック位置からロック解除位置に移動することを防止する。
したがって、万が一、携帯端末を落下させた場合でも、筐体から電池カバーが外れることを防ぐことができる。
【００１１】
また、本発明の携帯端末は、前記電池カバーにかけた押圧力により発生した電池カバーの撓みにより、前記第１、第２のエッジの係合を解除するように構成したことを特徴とする。
【００１２】
電池カバーに押圧力をかけて電池カバーを撓ませることで、第１、第２のエッジの係合を解除する。第１、第２のエッジの係合を解除することで、電池カバーのロックを簡単に解除して電池カバーを解放できる。
【００１３】
また、本発明の携帯端末は、前記電池カバーにかけた押圧力により発生した電池カバーの撓みにより、前記保持凸部と前記エッジとの係合を解除するように構成したことを特徴とする。
【００１４】
電池カバーに押圧力をかけて電池カバーを撓ませることで、保持凸部とエッジとの係合を解除する。保持凸部とエッジとの係合を解除することで、電池カバーのロックを簡単に解除して電池カバーを解放できる。
【００１５】
また、本発明の携帯端末は、前記電池カバーをスイング自在に回動するヒンジピンの近傍で、かつ電池カバーの裏面に、電池を支える電池支え部を設けたことを特徴とする。
【００１６】
電池カバーの裏面に電池支え部を設けることで、電池を良好に支えることができる。加えて、電池支え部をヒンジピンの近傍に設けることで、電池カバーを開閉する際に、電池支え部が邪魔になることがない。
これにより、電池交換などのメンテナンスをより一層簡単におこなうことができる。
【発明の効果】
【００１７】
本発明によれば、万が一、携帯端末を落下させた場合でも、筐体から電池カバーが外れて、筐体の収納凹部から電池が落下することを防ぐことができるという効果を有する。
さらに、本発明によれば、電池カバーのロックを簡単に解除して電池カバーを解放することで、電池の交換などのメンテナンスを簡単におこなうことができるという効果を有す
る。
【発明を実施するための最良の形態】
【００１８】
図１〜図２に示すように、第１実施形態の携帯端末１０は、筐体１１内に機器（図示せず）を内蔵し、筐体１１の裏面１１ａ下部に電池１３（図３参照）を収納する収納凹部１４（図３参照）を備え、この収納凹部１４を塞ぐことで電池１３を収納凹部１４に保持する電池カバー１５を備え、この電池カバー１５を筐体１１にロックするロック手段１６を備える。
【００１９】
筐体１１は、表面１１ｂの上部に表示部１８を備え、表示部１８の下方に操作部１９を備え、裏面１１ａの上部に光学的に伝票等のバーコードを読むコード読取部２１や銘板シート２２を備える。
さらに、図３に示すように、筐体１１は、銘板シート２２の下方に収納凹部１４を備え、収納凹部１４の上端両側にヒンジピン２４をそれぞれ備え、収納凹部１４の下方にロック手段１６を収納するロック収納部２６を備える。
収納凹部１４は電池１３が着脱自在に収納可能に形成された凹部である。
【００２０】
電池カバー１５は、収納凹部１４の開口１４ａを塞ぐように略矩形状に形成され、基端１５ａの両側にヒンジピン受け部２７をそれぞれ同軸上に設け、先端（端部）１５ｂ側の表面に凹み部１５ｃを形成し、先端１５ｂから筐体１１と略平行に延びた係合凸部２８を設け、ヒンジピン受け部２７近傍で且つ電池カバー１５の内側に、電池１３を支える保持する電池支え部２９が設けられている。
【００２１】
ヒンジピン受け部２７をヒンジピン２４に嵌め込むことで、ヒンジピン２４を軸にして電池カバー１５をスイング移動させて電池カバー１５を開閉することが可能になる。
ここで、図４に示すように、電池カバー１５を閉じた際に、電池カバー１５の両側縁部１５ｄが筐体１１の両側縁部１１ｃに当接し、電池カバー１５の端部のうち、両側縁部１５ｄを除いた部位１５ｅが、筐体１１の部位１１ｄから僅かに浮いた状態に保持される。
【００２２】
図３に戻って、ロック手段１６は、電池カバー１５を閉じた状態に保持するロック部材３１と、このロック部材３１をロック位置に保持するロックばね部材３２とを備える。
【００２３】
ロック部材３１は、上端部３１ａにオーバーハング部３３が設けられ、下端部３１ｂに一対の支持ピン３４が同軸上に設けられ、オーバーハング部３３にロック凸部３５が設けられている。
一対の支持ピン３４を、ロック収納部２６の受け部３６に回転自在に取り付ける。これにより、ロック収納部２６内にロック部材３１を配置するとともに、一対の支持ピン３４を軸にしてロック位置Ｐ１（図５参照）とロック解除位置とにスイング自在に取り付ける。
【００２４】
ロックばね部材３２は、一対の支持ピン３４に取り付けられ、その付勢力でロック部材３１をロック位置Ｐ１に保持するコイルばねである。
【００２５】
図５に示すように、筐体１１にカバー載面３８が形成され、カバー載面３８から突起３９が上向きに形成されている。
電池カバー１５の先端部裏面に、カバー載面３８に臨むセット面４１が形成され、セット面４１に溝部４２が形成され、溝部４２にシール材４３が収納されている。
シール材４３を電池カバー１５の周囲に設けることで、電池カバー１５と筐体１１との間の隙間をシール材４３で密閉する。
シール材４３は、弾性変形が可能な部材で、一例としてラバー材が該当する。
【００２６】
溝部４２は、電池カバー１５を閉じた状態で、カバー載面３８の突起３９に嵌り込むように形成されている。電池カバー１５を閉じて、電池カバー１５の両側縁部１５ｄを筐体１１に当接する（図４参照）。
シール材４３が突起３９に当接し、突起３９で押し潰されて、溝部４２が突起３９に嵌り込む。これにより、電池カバー１５と筐体１１との間をシール材４３で密閉する。
【００２７】
この状態からさらに電池カバー１５の端部中央１５ｆに、筐体１１に向けて押圧力をかけることにより、端部中央１５ｆが弾性変形してセット面４１がカバー載面３８に当接する。
【００２８】
ここで、電池カバー１５に設けた係合凸部２８には、上面の先端部に上向きに上向きエッジ（第１エッジ）２８ａを形成することで、上面に上向き凹み２８ｂを形成する。
また、オーバーハング部３３に、係合凸部２８を押さえ付けて電池カバー１５の解放を防ぐロック凸部３５を設け、このロック凸部３５の先端から下向きエッジ（第２エッジを）３５ａを係合凸部２８に向けて突出させることで、ロック凸部３５の下面に下向き凹み３５ｂを形成する。
【００２９】
ロック部材３１をロックばね部材３２でロック位置Ｐ１に保持することで、上向き凹み２８ｂに下向きエッジ３５ａが配置されるとともに、下向き凹み３５ｂに上向きエッジ２８ａが配置される。
【００３０】
この状態において、上向きエッジ２８ａと下向きエッジ３５ａとが互いにＬ１寸法分オーバーラップされる。
この状態において、上向きエッジ２８ａは、下向きエッジ３５ａがロック位置Ｐ１からロック解除位置の方向に移動することを阻止する。よって、ロック部材３１がロックばね部材３２の付勢力に抗してロック位置Ｐ１からロック解除位置に移動することを防止する。
したがって、万が一、携帯端末１０を落下させた場合でも、筐体１１から電池カバー１５が外れて、筐体１１の収納凹部１４から電池１３が落下することを防ぐことができる。
【００３１】
一方、この状態において、電池カバー１５のセット面４１が、シール材４３の弾撥力でカバー載面３８からＬ２寸法分浮いた状態に保持されている。
ここで、寸法Ｌ１と、寸法Ｌ２とは、Ｌ１＜Ｌ２の関係が成立する。よって、電池カバー１５に筐体１１に向けて押圧力をかけることにより、シール材４３が押し潰されてセット面４１がカバー載面３８に当接あるいは近接する。
【００３２】
上向きエッジ２８ａが下向きエッジ３５ａの下方に位置し、上向きエッジ２８ａと下向きエッジ３５ａとのオーバーラップが解除される。
これにより、ロック部材３１にロック解除方向に押圧力をかけることで、ロック部材３１を、ロックばね部材３２の付勢力に抗してロック位置Ｐ１からロック解除方向に移動することが可能になる。
【００３３】
次に、第１実施形態の携帯端末１０から電池カバー１５外す手順を図６〜図７に基づいて説明する。
図６（Ａ）に示すように、電池カバー１５の端部中央１５ｆに押圧力Ｆ１を矢印方向にかける。端部中央１５ｆが矢印ａ方向に弾性変形してシール材４３が押し潰される。
【００３４】
図６（Ｂ）に示すように、セット面４１がカバー載面３８に当接あるいは近接して、上向きエッジ２８ａが下向きエッジ３５ａの下方に位置し、上向きエッジ２８ａと下向きエッジ３５ａとのオーバーラップが解除される。
この状態で、ロック部材４１に押圧力Ｆ２を矢印の方向にかけることで、ロック部材３１がロックばね部材３２の付勢力に抗してロック位置Ｐ１からロック解除位置に向けて矢印ｂのように移動する。
【００３５】
図７（Ａ）に示すように、シール材４３への押付力が解放され、シール材４３が押し潰された状態からフリーの状態に膨張する。シール材４３の膨張力で電池カバー１５を矢印ｃのように上方に押し上げる。
【００３６】
図７（Ｂ）に示すように、電池カバー１５がヒンジピン２４（図３参照）を軸にして上方に開く。これにより、電池１３（図３参照）の交換などのメンテナンスを簡単におこなうことができる。
【００３７】
なお、この状態において、ロック部材３１は、ロックばね部材３２でロック解除位置からロック位置Ｐ１に戻される。
メンテナンス完了後に、電池カバー１５を矢印ｄの方向に移動することにより、セット面４１のテーパ面４１ａが、オーバーハング部３３のテーパ面３３ａに当接する。
【００３８】
ロック部材３１がロックばね部材３２の付勢力に抗してロック位置Ｐ１からロック解除位置に向けて移動し、電池カバー１５が閉位置に配置される。
この後、ロック部材３１が、ロックばね部材３２でロック解除位置からロック位置Ｐ１に戻され、ロック部材３１で電池カバー１５を閉位置に保持できる。
【００３９】
次に、第２の実施形態について説明する。
図８〜図９に示すように、第２実施形態の携帯端末５０は、第１実施形態のロック手段１６に代えてロック手段５１を備えたもので、その他の構成は第１実施形態と同様である。
【００４０】
ロック手段５１は、電池カバー５２を閉じた位置にロックするロックレバー５３と、このロックレバー５３をロック位置Ｐ２に保持する保持手段５５とを有する。
電池カバー５２は、第１実施形態の電池カバー１５と比較して、係合凸部２８に上向きエッジ２８ａおよび上向き凹み２８ｂを形成しない点で異なるだけでその他の構成は電池カバー１５と同じである。
【００４１】
ロックレバー５３は、レバー本体がロッド状に形成され、電池カバー５２をロックするロック位置Ｐ２と、ロック位置Ｐ２から離れたロック解除位置とにスイング自在に設け、ロック位置Ｐ２に配置した際に、電池カバー５２の係合凸部２８を押さえ付けて電池カバー５２の解放を防ぐロック凸部５７が係合凸部２８に臨ませて設けられ、レバー本体の先端に保持凸部５８が設けられ、レバー本体の基端に回動ピン５９が設けられている。
【００４２】
このロックレバー５６は、筐体１１のロック収納凹部６２に配置される。具体的には、回動ピン５９にＯリング６４を嵌め込んだ状態で、回動ピン５９をロック収納凹部６２の支持孔６５に回動自在に挿入し、保持凸部５８が保持手段５５で保持されることでロック位置Ｐ２に保持される。
【００４３】
図１０、図１１に示すように、保持手段５５は、ロックレバー５６（図１０参照）の先端に設けた保持凸部５８を受け入れる保持溝部６７を筐体１１に設け、この保持溝部６７に保持凸部５８を受け入れた後、保持凸部５８の抜け出しを防ぐために、保持凸部５８に係合するエッジ６８を保持溝部６７の開口６７ａに突出させたものである。
保持凸部５８にエッジ６８を係合することで、ロックレバー５６をロック位置Ｐ２（図８参照）に配置する。
【００４４】
図１２、図１３に示すように、ロックレバー５６をロック位置Ｐ２に保持した状態において、ロック凸部５７が、電池カバー５２の係合凸部２８に当接して、係合凸部２８を下方に、すなわち筐体１１に向けて押し下げる。これにより、シール材４３が突起３９で押し潰されて、溝部４２が突起３９に嵌り込む。
この状態において、ロックレバー５６の下面５６ａと、ロック収納凹部６２の底面６２ａとの間に寸法Ｌ３分の隙間が保たれる。
【００４５】
図１１に戻って、保持溝部６７の開口６７ａ近傍には、天井面６７ｂにエッジ６８が下向きに突起している。このエッジ６８は、保持溝部６７の開口６７ａから奥に向けて徐々に高さが高くなるようにテーパ状に形成されている。
このエッジ６８の高さは寸法Ｌ４である。
【００４６】
エッジ６８を、開口６７ａから奥に向けて徐々に高さが高くなるようにテーパ状に形成することで、保持手段５５が、テーパ面に沿って円滑にエッジ６８を乗り越えることができる。
【００４７】
保持凸部５８がエッジ６８を乗り越えて、保持溝部６７内に入り込んだ状態において、シール材４３が突起３９で押し潰される。よって、シール材４３の復元力が電池カバー５２の係合凸部２８を介してロックレバー５６に伝わり、保持凸部５８が保持溝部６７の天井面６７ｂに当接する。
これにより、保持凸部５８が保持溝部６７から抜け出すことをエッジ６８で防止する。
【００４８】
したがって、万が一、携帯端末５０を落下させた場合でも、筐体１１から電池カバー５２が外れて、筐体１１の収納凹部１４から電池１３が落下することを防ぐことができる。
【００４９】
ここで、寸法Ｌ３と、寸法Ｌ４とは、Ｌ３＞Ｌ４の関係が成立する。
電池カバー５２を解放する際には、電池カバー５２に押圧力をかけて筐体１１の方向に電池カバー５２を撓ませる。保持凸部５８を天井面６７ｂに当接する押付力が解除され、ロックレバー５６の下面５６ａがロック収納凹部６２の底面６２ａに当接あるいは近接する。
【００５０】
これにより、保持凸部５８がエッジ６８の下方まで下がり、ロック凸部５７とエッジ６８との係合が解除される。
ロックレバー５６をロック位置Ｐ２からロック解放位置に回動して、電池カバー１５を解放することにより、電池１３（図３参照）の交換などのメンテナンスを簡単におこなうことができる。
【００５１】
次に、第２実施形態の携帯端末５０の電池カバー１５をロックする手順を図１４（Ａ）〜図１４（Ｄ）に基づいて説明する。
図１４（Ａ）に示すように、ロックレバー５６（図１０参照）を、回動ピン５９を軸にしてロック解除位置から矢印のようにロック位置Ｐ２に向けて矢印ｅのようにスイング移動する。
【００５２】
図１４（Ｂ）に示すように、ロック凸部５７のテーパ面５７ａが、係合凸部２８のテーパ面２８ｃに当接する。
この状態から継続してロックレバー５６を押圧力Ｆ３でロック位置に向けてスイング移動する。ロック凸部５７が係合凸部２８に乗り上げて、係合凸部２８を矢印ｆのように筐体１１に向けて押し下げる。
【００５３】
図１４（Ｃ）に示すように、ロックレバー５６（図１０参照）をロック位置Ｐ１に向けて継続的にスイング移動することにより、保持凸部５８がエッジ６８を乗り越えて、保持溝部６７内に入り込む。
【００５４】
図１４（Ｄ）に示すように、ロック凸部５７で係合凸部２８を押し下げることにより、シール材４３が突起３９で押し潰される。
よって、シール材４３の復元力が電池カバー５２の係合凸部２８を介してロックレバー５６に伝わり、図１４（Ｃ）に示すように、保持凸部５８が保持溝部６７の天井面６７ｂに当接する。
【００５５】
これにより、保持凸部５８が保持溝部６７から抜け出すことをエッジ６８で防止する。
したがって、ロックレバー５６をロック解放位置からロック位置Ｐ２に回動するだけの簡単な操作で、電池カバー５２が解放しないようにロックできる。
【００５６】
なお、前記実施形態のロック部材３１やロックレバー５６などの部材は、例示した形状に限定するものではなく適宜変更が可能である。
【産業上の利用可能性】
【００５７】
本発明は、筐体内に電池を交換可能に収納し、収納した電池を電池カバーで筐体内に保持する携帯端末への適用に好適である。
【図面の簡単な説明】
【００５８】
【図１】本発明に係る携帯端末の第１実施形態を表面側から見た状態を示す斜視図である。
【図２】本発明に係る第１実施形態を裏面側から見た状態を示す斜視図である。
【図３】本発明に係る第１実施形態を裏面側から見た状態を示す分解斜視図である。
【図４】図２のＡ−Ａ線断面図である。
【図５】図２のＢ−Ｂ線断面図である。
【図６】本発明に係る第１実施形態の電池カバーを解放する手順を説明する図である。
【図７】本発明に係る第１実施形態の電池カバーを解放する手順を説明する図である。
【図８】本発明に係る携帯端末の第２実施形態を裏面側から見た状態を示す斜視図である。
【図９】本発明に係る第２実施形態を裏面側から見た状態を示す分解斜視図である。
【図１０】本発明に係る第２実施形態の要部を示す斜視図である。
【図１１】図８のＣ−Ｃ線断面図である。
【図１２】図８のＤ−Ｄ線断面図である。
【図１３】図８のＥ−Ｅ線断面図である。
【図１４】本発明に係る第２実施形態の電池カバーを解放する手順を説明する図である。
【符号の説明】
【００５９】
１０，５０  携帯端末
１１  筐体
１３  電池
１４  収納凹部
１５，５２  電池カバー
１５ｂ  先端（端部）
２４  ヒンジピン
２７  ヒンジピン受け部
２８  係合凸部
２８ａ  上向きエッジ（第１エッジ）
２９  電池支え部
３１  ロック部材
３２  ロックばね部材
３５，５７  ロック凸部
３５ａ  下向きエッジ（第２エッジ）
４３  シール材
５５  保持手段
５６  ロックレバー
５８  保持凸部
６７  保持溝部
６７ａ  保持溝部の開口
６８  エッジ
Ｐ１，Ｐ２  ロック位置
【図１】
2006196350.tif 000003
【図２】
2006196350.tif 000004
【図３】
2006196350.tif 000005
【図４】
2006196350.tif 000006
【図５】
2006196350.tif 000007
【図６】
2006196350.tif 000008
【図７】
2006196350.tif 000009
【図８】
2006196350.tif 000010
【図９】
2006196350.tif 000011
【図１０】
2006196350.tif 000012
【図１１】
2006196350.tif 000013
【図１２】
2006196350.tif 000014
【図１３】
2006196350.tif 000015
【図１４】
2006196350.tif 000016